(57)【要約】【課題】ロッド固定装置をコンクリート製電柱の頂部に非常に簡単に短時間で取り付けでき、作業効率を向上する。【解決手段】電柱１の上端面から突出する電柱の補強用鉄筋を長ナット１１に挿入して取り付け、この電柱の補強用鉄筋に取り付けられた長ナット１１の上に連結部材１３を介して取り付けられている円弧部材１５に取り付けられているボルト１７ａとナット１７ｂからなる仮止め部材１７にアラミドロッド３１の上端に取り付けられているアラミドロッドひも５３を仮止めする。【選択図】        図１
2010047980.tif 000002
【特許請求の範囲】
【請求項１】
コンクリート製の電柱の頂部開口に取り付けられ、電柱内に挿入されて吊り下げられる補強用のロッドを電柱の頂部開口から吊り下げて保持するロッド固定装置であって、
電柱の外周部の上端面から上方に突出する電柱の補強用鉄筋が下端側から挿入されて取り付けられる取付孔を有する取付部材と、
電柱内に吊り下げられるロッドの上端に取り付けられている紐を仮止めするための仮止め部材と、
前記取付部材の上部に取り付けられ、前記仮止め部材を固定的に取り付けるための固定部材と
を有することを特徴とするロッド固定装置。
【請求項２】
前記取付部材は、下部寄りの側部に直角に形成され、内周面がねじ切りされた小径のねじ穴を有する筒状部材を有し、
該筒状部材は、下端側から前記取付孔に前記補強用鉄筋が挿入されて補強用鉄筋に取り付けられてから、前記ねじ穴にねじを螺合させ、このねじの先端を補強用鉄筋に突き当てるように締め付けて、補強用鉄筋を固定的に取り付ける
ことを特徴とする請求項１記載のロッド固定装置。
【請求項３】
前記固定部材は、電柱の頂部開口の円周方向に円弧状に広がって形成される円弧部材を有し、
前記仮止め部材は、前記円弧部材に円周方向に所定間隔で複数取り付けられる
ことを特徴とする請求項１または２記載のロッド固定装置。
【請求項４】
前記固定部材を前記取付部材から離隔して連結するように前記取付部材と前記固定部材との間に設けられる連結部材を有することを特徴とする請求項１乃至３のいずれか１項に記載のロッド固定装置。
【請求項５】
前記仮止め部材は、前記固定部材に固定的に取り付けられ、前記ロッドの上端に取り付けられたひもが巻回されるボルトと、このボルトに螺合し、前記巻回されたひもを挟んで仮止めするように締め付けるナットとを有することを特徴とする請求項１乃至４のいずれか１項に記載のロッド固定装置。
【請求項６】
前記取付部材は、前記補強用鉄筋が下端側から挿入される前記取付孔の内周面にねじ部が形成されている長ナットで構成され、
この長ナットは、補強用鉄筋が挿入される長ナットの下端側寄りの側面に小径のねじ穴が形成され、
補強用鉄筋が前記取付孔に挿入された後、前記小径のねじ穴にねじを螺合し、該ねじの先端が補強用鉄筋に突き当たるまで該ねじを締め付けることにより取付部材を補強用鉄筋に固定的に取り付けて、ロッド固定装置を電柱の頂部において固定的に保持することを特徴とする請求項１乃至５のいずれか１項に記載のロッド固定装置。
【請求項７】
請求項１乃至５記載のいずれか１項に記載のロッド固定装置の使用方法であって、
電柱の上端面から上方に突出する補強用鉄筋をロッド固定装置の前記取付部材の下端側から前記取付孔内に挿入して取付部材を補強用鉄筋に固定することによりロッド固定装置を電柱の上端に取り付け、
電柱内に挿入されているロッドの上端に取り付けられているひもを、ロッドを所定の位置まで上下動してから仮止め部材に仮止めして、ロッドを所定の位置に仮固定する
ことを特徴とするロッド固定装置の使用方法。
【請求項８】
請求項６記載のロッド固定装置の使用方法であって、
電柱の上端面から上方に突出する補強用鉄筋をロッド固定装置の前記長ナットに下端側から挿入し、
長ナットの下端側寄りの側面に形成された小径のねじ穴にねじを螺合し、該ねじの先端が補強用鉄筋に突き当たるまで該ねじを締め付けることにより長ナットを補強用鉄筋に固定的に取り付けて、ロッド固定装置を電柱の頂部において固定的に保持する
ことを特徴とするロッド固定装置の使用方法。
【請求項９】
前記ロッド固定装置は、当該ロッド固定装置が有する仮止め部材の数と電柱内に挿入されているロッドの数に応じた数だけ、電柱の上端に取り付けられることを特徴とする請求項７または８記載のロッド固定装置の使用方法。
【発明の詳細な説明】
【技術分野】
【０００１】
本発明は、コンクリート製の電柱の頂部開口に取り付けられ、頂部開口から電柱内に吊り下げられるように挿入された補強用のロッドを電柱の頂部において固定的に保持するロッド固定装置および該ロッド固定装置の使用方法に関する。
【背景技術】
【０００２】
コンクリート製の電柱は、通常、電柱の基端部の所定長部分が地中に埋設されて地上に立設される。このような電柱は、その外周部が鉄筋とコンクリートにより作製される筒状体であり、その内部は空洞、すなわち中空となっている。
【０００３】
このようなコンクリート製電柱は、例えば、電柱の地際から１ｍ程上方の電柱側面に形成されたアース孔などの側面開口から電柱の内部に補強用の棒状部材であるロッド、具体的にはアラミドロッドを複数本挿入してから、これらの棒状部材の隙間に例えば豆砂利や砕石を投入し、更にモルタルやコンクリートなどを順次投入して電柱全体を補強するようにしている。
【０００４】
電柱補強のため電柱内に挿入される複数のアラミドロッドは、前記側部開口から１本ずつ挿入されるが、これは電柱の頂部開口から釣り糸などの吊りひもを繰り下げ、この吊りひもの先端を側部開口まで下降させ、この吊りひもの先端を１本目のアラミドロッドの上端に取り付けられているアラミドロッドひもと結んでから、吊りひもを電柱の頂部開口から引っ張り上げて、アラミドロッドの上端を電柱の頂部開口まで引き上げたところで、アラミドロッドひもを電柱の上端に取り付けられているロッド固定装置に仮止めし、アラミドロッドを電柱内に吊り下げた状態としている。
【０００５】
このように１本目のアラミドロッドを電柱内に引き上げ、そのアラミドロッドひもをロッド固定装置に仮止めすると、次に２本目のアラミドロッドを同様に引き上げ、そのアラミドロッドひもをロッド固定装置に仮止めする。そして、このようなアラミドロッドの引き上げおよびそのアラミドロッドひものロッド固定装置への仮止め作業を複数のアラミドロッドの各々について順次繰り返すことにより、複数のアラミドロッドを電柱内に挿入し、そのアラミドロッドひもをロッド固定装置に仮止めすることができる。
【０００６】
また、このように電柱内に挿入された複数のアラミドロッドで電柱をより有効に補強するためには、この複数のアラミドロッドを電柱内で最適配置に、すなわち均等に配置することが必要であるが、そのためには、電柱内に挿入された複数のアラミドロッドを電柱内においてロッド配置用調整治具やロッド配置用補助具のロッド保持部内に挿入することが必要である。
【０００７】
上述したように、アラミドロッドひもがロッド固定装置に仮止めされて電柱内に吊り下げられた複数のアラミドロッドをロッド配置用調整治具やロッド配置用補助具のロッド保持部に挿入するためには、各アラミドロッドのアラミドロッドひものロッド固定装置への仮止めを解き、アラミドロッドひもを持ってアラミドロッドを吊るように保持しながら、アラミドロッドを電柱内で引き上げたり、引き下げたりして、アラミドロッドをロッド保持部内に挿入し、挿入し終わると、またアラミドロッドひもをロッド固定装置に仮止めするという操作を複数のアラミドロッドの各々について順次繰り返し行うことが必要である。
【０００８】
このようにアラミドロッドひもを仮止めするために電柱の上端に取り付けられる従来のロッド固定装置は、例えば図７に符号９９で示すように、ボルトを用いて複数の部材を組み合わせて形成された全体的にL字形の固定金具９１が４個電柱１の上端に取り付けられて構成されている。そして、この固定金具９１の上端に形成された穴にアラミドロッドひも９３が挿入されて仮止めされている。このアラミドロッドひも９３は、電柱１内に挿入されているアラミドロッド９５の上端に取り付けられている。なお、同図では、４本のアラミドロッド９５が電柱１内に挿入され、その上端に取り付けられた４本のアラミドロッドひも９３が４個の固定金具９１の上端に仮りとめされている。
【０００９】
各固定金具９１は、そのL字形の下端の水平に延出した部分の下側に小さな逆L字形の支持金具９７がボルトとナットにより固定されている。この支持金具９７の垂直の基部は、電柱１の頂部の外周に巻回されている取付バンド９０に挟まれて固定され、これにより各固定金具９１を電柱１の頂部開口に固定して、ロッド固定装置を構成している。
【特許文献１】特開２００７-７７６１３号
【発明の開示】
【発明が解決しようとする課題】
【００１０】
上述したように、複数の固定金具９１を電柱１の頂部開口に取付バンド９０で固定して構成される従来のロッド固定装置９９は、電柱１の側部開口から電柱１内にアラミドロッド９５を挿入したり、電柱１内に挿入されたアラミドロッド９５を電柱１内で吊り下げながら引き上げたり引き下げたりするようにアラミドロッドひも９３を操作し、操作後に仮止めするために電柱１の頂部開口に取り付けることが必要であるが、この取り付けにおいては、まず電柱１の頂部開口の外周に取付バンド９０を軽く取り付ける。それから、複数の固定金具９１のうちの１個目の固定金具９１の小さな逆L字形の支持金具９７の垂直基部を取付バンド９０と電柱の外周の間に挟んでから取付バンド９０を締め付けて固定する。
【００１１】
次に、２個目の固定金具９１の支持金具９７の垂直基部を同様に取付バンド９０と電柱の外周の間に挟んでから取付バンド９０を締め付けて固定するのであるが、この場合１個目の固定金具９１が既に取付バンド９０で固定されているので、この１個目の固定金具９１が落ちないようにする必要がある。このためには、１個目の固定金具９１が落ちないように例えば手や別の手段で１個目の固定金具９１を押えるなどしながら、２個目の固定金具９１を取付バンド９０と電柱の外周の間に挟んでから取付バンド９０を締め付けて固定するというように比較的難しく煩雑な作業を行う必要があり、時間がかかり、非効率的であるとともに、電柱１の頂部という高所で行う作業のため、このような煩雑な作業は更に時間がかかり、困難であるという問題がある。
【００１２】
また、上記煩雑な作業は、３個目以降の複数の固定金具９１のすべてに行う必要があるが、数が増える程、作業は更に煩雑となり、時間がかかる。
【００１３】
本発明は、上記に鑑みてなされたもので、その目的とするところは、コンクリート製電柱の頂部に非常に簡単に短時間で取り付けることができ、作業効率を向上することができるロッド固定装置および該ロッド固定装置の使用方法を提供することにある。
【課題を解決するための手段】
【００１４】
上記課題を達成するため、請求項１記載のロッド固定装置は、コンクリート製の電柱の頂部開口に取り付けられ、電柱内に挿入されて吊り下げられる補強用のロッドを電柱の頂部開口から吊り下げて保持するロッド固定装置であって、電柱の外周部の上端面から上方に突出する電柱の補強用鉄筋が下端側から挿入されて取り付けられる取付孔を有する取付部材と、電柱内に吊り下げられるロッドの上端に取り付けられている紐を仮止めするための仮止め部材と、前記取付部材の上部に取り付けられ、前記仮止め部材を固定的に取り付けるための固定部材とを有することを要旨とする。
【００１５】
請求項１記載のロッド固定装置では、電柱の上端面から突出する電柱の補強用鉄筋を取付部材の取付孔に挿入して取り付け、この電柱の補強用鉄筋に取り付けられた取付部材の上部の固定部材に取り付けられている仮止め部材にロッドの上端に取り付けられている紐を仮止めするため、ロッド固定装置は単に取付部材に補強用鉄筋を挿入するだけという極めて簡単な作業により短時間で効率的に電柱に固定され、ロッドの数が増えても、また電柱のような高所でも問題なく、短時間で効率的にロッド固定装置を電柱に頂部開口に固定することができる。
【００１６】
請求項２記載のロッド固定装置は、請求項１記載のロッド固定装置において、前記取付部材は、下部寄りの側部に直角に形成され、内周面がねじ切りされた小径のねじ穴を有する筒状部材を有し、該筒状部材は、下端側から前記取付孔に前記補強用鉄筋が挿入されて補強用鉄筋に取り付けられてから、前記ねじ穴にねじを螺合させ、このねじの先端を補強用鉄筋に突き当てるように締め付けて、補強用鉄筋を固定的に取り付けることを要旨とする。
【００１７】
請求項２記載のロッド固定装置では、取付部材が下部寄りの側部に小径のねじ穴を有する筒状部材であり、該筒状部材は取付孔に補強用鉄筋が挿入されてから、ねじ穴にねじを螺合させ、このねじの先端を補強用鉄筋に突き当てるように締め付けて補強用鉄筋を固定的に取り付けるため、ロッド固定装置は補強用鉄筋に確実に固定される。
【００１８】
請求項３記載のロッド固定装置は、請求項１または２記載のロッド固定装置において、前記固定部材は、電柱の頂部開口の円周方向に円弧状に広がって形成される円弧部材を有し、前記仮止め部材は、前記円弧部材に円周方向に所定間隔で複数取り付けられることを要旨とする。
【００１９】
請求項３記載のロッド固定装置では、固定部材は円弧部材であり、仮止め部材は円弧部材に円周方向に所定間隔で複数取り付けられる。
【００２０】
請求項４記載のロッド固定装置は、請求項１乃至３のいずれか１項に記載のロッド固定装置において、前記固定部材を前記取付部材から離隔して連結するように前記取付部材と前記固定部材との間に設けられる連結部材を有することを要旨とする。
【００２１】
請求項４記載のロッド固定装置では、取付部材は連結部材を介して固定部材に連結されている。
【００２２】
請求項５記載のロッド固定装置は、請求項１乃至４のいずれか１項に記載のロッド固定装置において、前記仮止め部材は、前記固定部材に固定的に取り付けられ、前記ロッドの上端に取り付けられたひもが巻回されるボルトと、このボルトに螺合し、前記巻回されたひもを挟んで仮止めするように締め付けるナットとを有することを要旨とする。
【００２３】
請求項５記載のロッド固定装置では、仮止め部材はボルトとナットで構成されるため、ロッドの上端に取り付けられたひもをボルトに巻回してから、ナットを螺合して締め付けることにより簡単かつ確実に仮止めすることができる。
【００２４】
請求項６記載のロッド固定装置は、請求項記載の１乃至５のいずれか１項に記載のロッド固定装置において、前記取付部材は、前記補強用鉄筋が下端側から挿入される前記取付孔の内周面にねじ部が形成されている長ナットで構成され、この長ナットは、補強用鉄筋が挿入される長ナットの下端側寄りの側面に小径のねじ穴が形成され、補強用鉄筋が前記取付孔に挿入された後、前記小径のねじ穴にねじを螺合し、該ねじの先端が補強用鉄筋に突き当たるまで該ねじを締め付けることにより取付部材を補強用鉄筋に固定的に取り付けて、ロッド固定装置を電柱の頂部において固定的に保持することを要旨とする。
【００２５】
請求項６記載のロッド固定装置では、取付部材は長ナットで構成され、この長ナット下端側寄りの側面に形成された小径のねじ穴にねじを螺合し、ねじの先端が補強用鉄筋に突き当たるまで該ねじを締め付けることにより取付部材を補強用鉄筋に固定的に取り付けるため、ロッド固定装置は電柱の頂部において確実に固定される。
【００２６】
請求項７記載のロッド固定装置の使用方法は、請求項１乃至５記載のいずれか１項に記載のロッド固定装置の使用方法であって、電柱の上端面から上方に突出する補強用鉄筋をロッド固定装置の前記取付部材の下端側から前記取付孔内に挿入して取付部材を補強用鉄筋に固定することによりロッド固定装置を電柱の上端に取り付け、電柱内に挿入されようとしたり、挿入されているロッドの上端に取り付けられているひもを保持してロッドを電柱内で引き上げたり、引き下げたりしてロッドを所定の位置まで上下動してから前記ひもを仮止め部材に仮止めして、ロッドを所定の位置に仮固定し、必要に応じて、ひもの仮止めを解き、この仮止めを解かれたひもを持ってロッドを電柱内で吊るように保持しながら、ロッドを引き上げたり、引き下げたりして、所望の位置に移動してから、ひもを仮止め部材に仮止めして、ロッドを所定の位置に仮固定することを要旨とする。
【００２７】
請求項７記載のロッド固定装置の使用方法では、電柱の補強用鉄筋を取付部材の取付孔内に挿入してロッド固定装置を電柱の上端に取り付け、電柱内に挿入されようとしたり、挿入されているロッドの上端のひもを保持して電柱内で引き上げたり、引き下げたりして所定の位置まで上下動してからひもを仮止め部材に仮止めし、必要に応じて、ひもの仮止めを解き、この仮止めを解かれたひもを持ってロッドを電柱内で吊るように保持しながら、ロッドを所望の位置に移動して、ひもを仮止め部材に仮止めして、ロッドを所定の位置に仮固定するため、極めて簡単な作業により短時間で効率的に電柱へのロッド固定装置の固定、ロッドの電柱内への挿入、仮止め、上下動を行うことができる。
【００２８】
請求項８記載のロッド固定装置の使用方法は、請求項６記載のロッド固定装置の使用方法であって、電柱の上端面から上方に突出する補強用鉄筋をロッド固定装置の前記長ナットに下端側から挿入し、長ナットの下端側寄りの側面に形成された小径のねじ穴にねじを螺合し、該ねじの先端が補強用鉄筋に突き当たるまで該ねじを締め付けることにより長ナットを補強用鉄筋に固定的に取り付けて、ロッド固定装置を電柱の頂部において固定的に保持し、電柱内に挿入されようとしたり、挿入されているロッドの上端に取り付けられているひもを保持してロッドを電柱内で引き上げたり、引き下げたりしてロッドを所定の位置まで上下動してから前記ひもを前記ボルトに巻回し、このひもが巻回されたボルトに前記ナットを螺合して締め付け、ひもをナットで挟んで仮止めして、ロッドを所定の位置に仮固定し、必要に応じて、ナットを緩めてひもの仮止めを解き、この仮止めを解かれたひもを持ってロッドを電柱内で吊るように保持しながら、ロッドを引き上げたり、引き下げたりして、所望の位置に移動してから、ひもをボルトに巻回し、ボルトにナットを螺合して締め付け、ひもをボルトとナットの間で挟んで仮止めして、ロッドを所定の位置に仮固定することを要旨とする。
【００２９】
請求項８記載のロッド固定装置の使用方法では、電柱の補強用鉄筋を長ナットに挿入し、長ナットの側面に形成されたねじ穴にねじを螺合し締め付けて補強用鉄筋に固定的に取り付け、電柱内に挿入されようとしたり、挿入されているロッドの上端のひもを保持して電柱内で引き上げたり、引き下げたりして所定の位置まで上下動してからひもをボルトに巻回し、ボルトにナットを螺合して締め付け、ひもをナットで挟んで仮止めして、ロッドを所定の位置に仮固定し、必要に応じて、ナットを緩めてひもの仮止めを解き、このひもを持ってロッドを引き上げたり、引き下げたりして、所望の位置に移動してから、ひもをボルトに巻回し、ボルトにナットを螺合して締め付け、ひもをボルトとナットの間で挟んで仮止めして、ロッドを所定の位置に仮固定するため、極めて簡単な作業により短時間で効率的に電柱へのロッド固定装置の固定、ロッドの電柱内への挿入、仮止め、上下動を行うことができる。
【００３０】
請求項９記載のロッド固定装置の使用方法は、請求項７または８記載のロッド固定装置の使用方法において、前記ロッド固定装置は、当該ロッド固定装置が有する仮止め部材の数と電柱内に挿入されているロッドの数に応じた数だけ、電柱の上端に取り付けられることを要旨とする。
【００３１】
請求項９記載のロッド固定装置の使用方法では、ロッド固定装置は仮止め部材の数とロッドの数に応じた数だけ、電柱の上端に取り付けられる。
【発明の効果】
【００３２】
本発明によれば、ロッド固定装置は、電柱の上端面から突出する電柱の補強用鉄筋を取付部材の取付孔に挿入することにより電柱の頂部開口に固定されるので、極めて簡単な作業により短時間で効率的に電柱に固定され、ロッドの数が増えても、また電柱のような高所でも例えば１人の作業員で簡単に問題なく、短時間で効率的にロッド固定装置を電柱に頂部開口に固定することができる。
【００３３】
本発明によれば、ロッド固定装置は、仮止め部材がボルトとナットで構成されるので、ロッドの上端に取り付けられたひもをボルトに巻回してから、ナットを螺合して締め付けることにより非常に簡単かつ確実に仮止めすることができる。
【００３４】
本発明によれば、ロッド固定装置の使用方法は、電柱の補強用鉄筋を取付部材に挿入してロッド固定装置を電柱の上端に固定し、電柱内に挿入されようとしたり、挿入されているロッドのひもを保持して所定の位置まで上下動してからひもを仮止め部材に仮止めし、必要に応じて、ひもの仮止めを解いてロッドを吊るように保持しながら、ロッドを所望の位置に移動し、ひもを仮止め部材に仮止めして、ロッドを所定の位置に仮固定するので、極めて簡単な作業により短時間で効率的に電柱へのロッド固定装置の固定、ロッドの電柱内への挿入、仮止め、上下動を行うことができる。
【００３５】
本発明によれば、ロッド固定装置の使用方法は、電柱の補強用鉄筋を長ナットに挿入し、長ナットのねじ穴にねじを螺合し締め付けて補強用鉄筋に固定し、電柱内に挿入されようとしたり、挿入されているロッドのひもを保持して所定の位置まで上下動してからひもをボルトに巻回し、ボルトにナットを螺合して締め付け、ひもをナットで挟んで仮止めし、必要に応じて、ナットを緩めてひもの仮止めを解き、このひもを持ってロッドを所望の位置に移動してから、ひもをボルトに巻回し、ナットで締め付けて仮止めし、ロッドを所定の位置に仮固定するので、極めて簡単な作業により短時間で効率的に電柱へのロッド固定装置の固定、ロッドの電柱内への挿入、仮止め、上下動を行うことができる。
【発明を実施するための最良の形態】
【００３６】
以下、図面を用いて、本発明を実施するための最良の形態(以下、実施形態と称する)を説明する。
【００３７】
図１は、本発明の一実施例に係わるロッド固定装置を示す斜視図であり、また図２（ａ）、(ｂ)は、図１に示すロッド固定装置の正面図および背面図である。図１、２(ａ),(ｂ)に示すロッド固定装置１０は、筒状部材である長ナット１１を下部に有し、この長ナット１１の上端には例えば直径１０ｍｍ程度の鉄筋等で形成された連結部材１３が取り付けられ、更にこの連結部材１３の上には円弧状に広がって形成される湾曲した固定部材である円弧部材１５が取り付けられている。
【００３８】
円弧部材１５は、ロッド固定装置１０を電柱の頂部に取り付けた場合に、円弧部材１５の円弧状の広がりが電柱の頂部の外周の円形の形状に部分的に一致するように形成されている。すなわち、円弧部材１５は、電柱の頂部開口の円周方向に円弧状に広がり湾曲して形成されている。
【００３９】
また、円弧部材１５には、円周方向に、すなわち広がり方向に所定間隔あけて、ボルト１７ａとナット１７ｂからなる複数の、本実施形態では３個の仮止め部材１７が取り付けられている。この仮止め部材１７のボルト１７ａは、円弧部材１５に形成された孔に通された後、そのヘッド部が円弧部材１５に当ったところで、ヘッド部が例えば接着、溶接などにより円弧部材１５に固定されている。このようにボルト１７ａが円弧部材１５に固定された後、円弧部材１５から突出したボルト１７ａのねじ部にナット１７ｂを螺合される。
【００４０】
このナット１７ｂは、蝶の羽根のようなつまみを有し、ナット１７ｂをボルト１７ａに螺合して締め付けやすいようになっている。このようにボルト１７ａとナット１７ｂからなる仮止め部材１７は、ナット１７ｂを外した状態で、またはナット１７ｂを少し緩めてボルト１７ａのねじ部がナット１７ｂと円弧部材１５との間に現れた状態で上述したアラミドロッドひもをボルト１７ａのねじ部に巻回してから、ねじ部にナット１７ｂを螺合して締め付けると、アラミドロッドひもはナット１７ｂと円弧部材１５との間に挟まれて一時的に固定される。
【００４１】
このようにアラミドロッドひもが仮止め部材１７のボルト１７ａとナット１７ｂとの間に締め付けられて一時的に固定されることを本実施形態では「仮止め」と称する。
【００４２】
長ナット１１の上端に取り付けられた連結部材１３は、図１、図２(ａ),(ｂ)では長ナット１１の中に上方から挿入されていて明確には見えないが、連結部材１３の中央下側に下方に延出した支持棒を有している。この支持棒は、長ナット１１のねじ孔内に上方から挿入され、これにより連結部材１３が長ナット１１に固定されるようになっている。
【００４３】
この連結部材１３の長ナット１１への固定は、単に連結部材１３の支持棒を長ナット１１内に挿入しただけである。従って、この固定を更に確実にするために、長ナット１１は、その側部の上部寄りと下方寄りの所に小径のねじ穴１１ａ、１１ｂが２個形成されている。
【００４４】
すなわち、連結部材１３の支持棒を長ナット１１内に挿入した後、長ナット１１の上方の小径のねじ穴１１ａに小ねじを螺合し、この小ねじの先端を連結部材１３の支持棒に突き当てるように小ねじを締め付ければ、連結部材１３は長ナット１１に確実に固定される。
【００４５】
なお、長ナット１１の下方の小径のねじ穴１１ｂは、ロッド固定装置１０を電柱に固定するために使用されるものである。具体的には、後述するように、ロッド固定装置１０を電柱に固定するために、コンクリート製の電柱の上端面に突出している補強用鉄筋をロッド固定装置１０の長ナット１１内にその下方から挿入した後、長ナット１１の下方の小径のねじ穴１１ｂに別の小ねじを螺合し、この小ねじの先端を電柱の補強用鉄筋に突き当てるように小ねじを締め付ければ、電柱の補強用鉄筋に長ナット１１が確実に固定され、これによりロッド固定装置１０が電柱１の頂部に確実に固定されるものである。
【００４６】
このような支持棒を有する連結部材１３は、円弧部材１５を長ナット１１に連結するものであり、例えば鉄筋などで形成され、図１、図２(ａ),(ｂ)に示す構造では、細長で少し角張った環状に形成された環状部を有する。この環状部は、その横方向の長手方向が円弧部材１５と同じ円弧状に形成され、この円弧状部の上側に円弧部材１５が例えば溶接などにより固定的に取り付けられている。また、連結部材１３は、その中央部を補強するように縦に補強棒１３ａが設けられている。
【００４７】
以上のように構成されるロッド固定装置１０は、図３に示すように電柱１の上端の頂部開口に取り付けられて使用される。具体的には、図４(ａ)に示すように、中空のコンクリート製の電柱１は、その上端面から上方に複数の、図４(ａ)では６本の補強用鉄筋２１が突出しているが、この補強用鉄筋２１に図１に示したロッド固定装置１０の長ナット１１を挿入して取り付けるようになっている。
【００４８】
図３では、電柱１内に吊り下げられてロッド固定装置１０に仮止めされる棒状部材は、符号３１ａ、３１ｂ、３１ｃで示す３本のロッド、具体的には本実施形態では３本のアラミドロッドと符号３３で示す１本のガイド棒の４本であり、かつ図１で示すロッド固定装置１０は、仮止め部材１７が３個であるので、アラミドロッド３１ａ,３１ｂ,３１ｃとガイド棒３３の４本を吊り下げるためにロッド固定装置１０を２個使用している。
【００４９】
そのために、図４(ａ)に示すように、電柱１の上端面から突出している６本の補強用鉄筋２１は、図４(ｂ)に示すように、４本を切断して、２本のみを残す。そして、この２本の補強用鉄筋２１を図３に示すように２個のロッド固定装置１０の長ナット１１に下方から挿入した後、長ナット１１の下方の小径のねじ穴１１ｂに小ねじ３５を螺合し、この小ねじ３５の先端を電柱１の補強用鉄筋２１に突き当てるように小ねじ３５を締め付ければ、補強用鉄筋２１にロッド固定装置１０が確実に固定され、これによりロッド固定装置１０は、図３に示すように、電柱１の上部に固定される。
【００５０】
すなわち、電柱１の上部に取り付けられる２個のロッド固定装置１０は、その長ナット１１に電柱１の補強用鉄筋２１を挿入し、ねじ穴１１ｂに小ねじ３５を螺合して締め付ければ固定される。
【００５１】
また、図３においては、電柱１内に挿入されている３本のアラミドロッド３１ａ,３１ｂ,３１ｃと１本のガイド棒３３は、それぞれの上端にアラミドロッドひも５３ａ,５３ｂ,５３ｃおよび５３ｄが取り付けられ、これらのアラミドロッドひも５３がロッド固定装置１０の仮止め部材１７に仮止めされることにより、３本のアラミドロッド３１と１本のガイド棒３３は、電柱１内に吊り下げられている。
【００５２】
すなわち、３本のアラミドロッド３１ａ,３１ｂ,３１ｃのうちの１本目のアラミドロッド３１ａは、そのアラミドロッドひも５３ａが図で左側に示すロッド固定装置１０の円弧部材１５の左手前の仮止め部材１７に仮止めされ、２本目のアラミドロッド３１ｂは、そのアラミドロッドひも５３ｂが同ロッド固定装置１０の円弧部材１５の右側にある仮止め部材１７に仮止めされ、３本目のアラミドロッド３１ｃは、そのアラミドロッドひも５３ｃが図で右側に示すロッド固定装置１０の円弧部材１５の真中の仮止め部材１７に仮止めされている。また、ガイド棒３３は、そのアラミドロッドひも５３ｄが図で左側に示すロッド固定装置１０の円弧部材１５の真中にある仮止め部材１７に仮止めされている。このようにロッド固定装置１０の仮止め部材１７に仮止めされた３本のアラミドロッド３１ａ,３１ｂ,３１ｃと１本のガイド棒３３は、電柱１内で吊り下げられた状態にある。
【００５３】
上述したように、電柱１の上端にロッド固定装置１０を取り付ける作業は、単に電柱１の補強用鉄筋２１を長ナット１１に挿入するだけで、簡単にロッド固定装置１０が電柱１の仮固定され、このように仮り固定されたロッド固定装置１０のねじ穴１１ｂに小ねじ３５を螺合して締め付けて、ロッド固定装置１０を電柱１の上端に固定するという非常に簡単なものであるため、従来のものに比較して、非常に短時間で効率的に、しかも確実に、そして電柱１の頂部のような高所でも例えば１人の作業員で安全かつ簡単に行うことができるとともに、更にアラミドロッドなどの棒状部材が増えても、数に関係なく、極めて簡単に行うことができる。
【００５４】
次に、図３および図５を参照して、図３に示すように電柱１の上端に固定されたロッド固定装置１０を用いて、アラミドロッド３１の上端に取り付けられているアラミドロッドひもを仮止め部材１７に仮止めするロッド固定装置１０の使用方法について説明する。
【００５５】
ロッド固定装置１０は、電柱１内に挿入されるアラミドロッド３１を吊り下げながら電柱１内で引き上げたり、引き下げたりしてアラミドロッド３１を所定の位置まで上下動してから、アラミドロッド３１の上端のアラミドロッドひもを仮止め部材１７に仮止めして、アラミドロッド３１を所定の位置に仮固定するが、この作業は、まず第１の作業として、電柱１の下方の側部開口から電柱１の上方まで１本ずつ引き上げられたアラミドロッド３１の上端に取り付けられているアラミドロッドひも５３をロッド固定装置１０の仮止め部材１７の仮止めするという作業を複数本のアラミドロッド３１のすべてに順番に行うという作業がある。
【００５６】
また、第２の作業としては、第１の作業で電柱１内を引き上げられた後、アラミドロッドひも５３をロッド固定装置１０の仮止め部材１７に仮止めされた複数本のアラミドロッド３１を電柱１内でその円周方向に均等に配置して補強を増大するためにアラミドロッド３１の１本１本をロッド配置用補助具の環状のロッド保持部内に挿入するという作業を複数本のアラミドロッド３１のすべてに順番に行うという作業がある。
【００５７】
まず、第１の作業について図５を参照して説明する。図５では、１本目のアラミドロッド３１ａが既に電柱１の下方の側部開口５１から電柱１の上方まで引き上げられ、このアラミドロッド３１ａの上端に取り付けられているアラミドロッドひも５３ａがロッド固定装置１０の仮止め部材１７に仮止めされている状態を示すとともに、２本目のアラミドロッド３１ｂの先端が電柱１の側部開口５１の近くまで運ばれ、このアラミドロッド３１ｂの先端のアラミドロッドひも５３ｂに対して電柱１の頂部開口５５から電柱１の下方まで垂れ下げられた例えば釣り糸などの吊りひも５７の下端部が結び目５３ｎで結ばれている状態を示している。
【００５８】
上述したように、２本目のアラミドロッド３１ｂのアラミドロッドひも５３ｂが結び目５３ｎで吊りひも５７に結ばれた状態で吊りひも５７を電柱１の頂部開口５５から例えば巻取り用リール８１で上方に引き上げるように巻き取ると、２本目のアラミドロッド３１ｂは、側部開口５１から電柱１内を引き上げられ、アラミドロッド３１ｂの上端は電柱１の上方まで引き上げられる。
【００５９】
従って、この引き上げられた状態で２本目のアラミドロッド３１ｂの上端のアラミドロッドひも５３ｂをロッド固定装置１０の仮止め部材１７に仮止めする。この結果、２本目のアラミドロッド３１ｂも１本目のアラミドロッド３１ａと同じように電柱１内に吊り下げられる。
【００６０】
なお、アラミドロッドひも５３ｂの仮止め部材１７への仮止めは、上述したように、仮止め部材１７を構成するボルト１７ａにアラミドロッドひも５３ｂを巻回してから、このアラミドロッドひも５３ｂをボルト１７ａとナット１７ｂとの間に締め付けることにより行われるが、このようにアラミドロッドひも５３ｂが仮止め部材１７に仮止めされても、ボルト１７ａに巻きつけたアラミドロッドひも５３ｂの先端が余っている場合には、このアラミドロッドひも５３ｂの先端を電柱１の外周部に例えば粘着テープなどで一時的に接着しておけば、アラミドロッドひも５３ｂの余った先端が電柱１の頂部付近でぶらぶらして作業の邪魔になることを防止することができ、作業効率を向上することができる。
【００６１】
また更に、３本目のアラミドロッド３１ｃも同様に側部開口５１から電柱１内を引き上げて、そのアラミドロッドひも５３ｃをロッド固定装置１０の仮止め部材１７に仮止めすれば、図３に示すように３本のアラミドロッド３１ａ,３１ｂ,３１ｃのアラミドロッドひも５３ａ,５３ｂ,５３ｃは、それぞれロッド固定装置１０の仮止め部材１７に仮止めされることになる。
【００６２】
なお、図３では、電柱１内において、アラミドロッド３１ａ,３１ｂ,３１ｃの中央にガイド棒３３が挟まれるように設けられ、このガイド棒３３の上端に取り付けられたアラミドロッドひも５３ｄがロッド固定装置１０の仮止め部材１７に仮止めされているが、ガイド棒３３の上端に取り付けられたアラミドロッドひも５３ｄの仮止め部材１７への仮止め方法は、上記アラミドロッド３１の上端のアラミドロッドひも５３の場合と同じであるとともに、ガイド棒３３は図示しないロッド配置用調整治具とともに電柱１の上方から挿入されるものであり、このガイド棒３３の挿入方法は本発明には直接関係がないものであるので、その説明を省略するとともに、またガイド棒３３の図示は図５では省略する。
【００６３】
次に、図６(ａ),(ｂ)を参照して、第２の作業について説明する。図６(ａ)は、第１の作業の結果として、図３に示したように、３本のアラミドロッド３１ａ,３１ｂ,３１ｃが電柱１内に挿入され、そのアラミドロッドひも５３ａ,５３ｂ,５３ｃがロッド固定装置１０の仮止め部材１７に固定されるとともに、この３本のアラミドロッド３１ａ,３１ｂ,３１ｃが電柱１内で内周方向に均等に配置されうるように３本のアラミドロッド３１ａ,３１ｂ,３１ｃの中程に１個目のロッド配置用補助具６１が既に設けられ、このロッド配置用補助具６１の環状のロッド保持部６３内に各アラミドロッドが挿入されている状態を示していることに加えて、更に２個目のロッド配置用補助具６１が電柱１の側部開口５１からその中程に操作具６７を用いて挿入されている状態を示している。なお、図６においては、図３で示したガイド棒３３は、本発明の要旨に直接関係ないので、簡単化のため、図示していない。
【００６４】
なお、電柱１の中程に設けられている１個目のロッド配置用補助具６１は、図示しないが、ひもなどにより電柱１の頂部開口５５から吊り下げられるとともに、このひもは、ロッド固定装置１０の仮止め部材１７に仮止めされ、これにより１個目のロッド配置用補助具６１を電柱１の中程に設定しているものである。また、電柱１の側部開口５１の中程に操作具６７を用いて挿入されている２個目のロッド配置用補助具６１も図示しないひもなどにより電柱１の頂部開口５５から吊り下げられ、仮止め部材１７に仮止めされているものである。
【００６５】
ロッド配置用補助具６１は、図６（ｂ）に示すように、円環状のフレーム６５の外周部に鉄筋等で環状またはＵ字状に形成した３個のロッド保持部６３を取り付けて構成されている。なお、このロッド配置用補助具６１は、詳しくは、図３に示したガイド棒３３を挿入するためのガイド孔を有するものであるが、このガイド孔は、ガイド棒３３と同様に本発明の要旨に直接関係ないので、簡単化のため、図示していない。
【００６６】
図６（ｂ）に示すロッド配置用補助具６１の３個のロッド保持部６３は、フレーム６５の円周方向、すなわち電柱１の円周方向に均等に配設され、この３個のロッド保持部６３内に３本のアラミドロッド３１を挿入した場合に、３本のアラミドロッド３１は電柱１内で内周方向に均等に配置されることになり、このようにアラミドロッド３１を電柱１内に均等に配置した後、アラミドロッド３１ａ,３１ｂ,３１ｃの隙間に例えば豆砂利や砕石を投入し、更にモルタルやコンクリートなどを順次投入することにより、電柱１が全体的に補強されることになる。
【００６７】
そこで、図６（ａ）に示すように、電柱１の側部開口５１からその中程に操作具６７を用いて電柱１内に挿入された２個目のロッド配置用補助具６１のロッド保持部６３内に３本のアラミドロッド３１ａ,３１ｂ,３１ｃのそれぞれを下端部から１本ずつ挿入し、各アラミドロッドひも５３ａ,５３ｂ,５３ｃをロッド固定装置１０の仮止め部材１７に仮止めし、それからロッド配置用補助具６１を電柱１内の上方に引き上げ、所定の位置まで移動し、次に各アラミドロッド３１を所定のロッド位置まで引き上げてから、それぞれのアラミドロッドひも５３をロッド固定装置１０の仮止め部材１７に仮止めする作業について詳しく説明する。
【００６８】
図６（ａ）に示すように、電柱１の側部開口５１から操作具６７を用いて電柱１内に２個目のロッド配置用補助具６１が挿入された状態から説明するが、この状態では、３本のアラミドロッド３１の下端部は、２個目のロッド配置用補助具６１の少し上にある。従って、この状態で、３本のアラミドロッド３１のうちの１本目のアラミドロッド３１ａのアラミドロッドひも５３ａの仮止め部材１７への仮止めを解き、このアラミドロッドひも５３ａを電柱１の頂部開口５５の上方で例えば手などで保持しながら、アラミドロッド３１ａを電柱１内で吊り下げつつアラミドロッド３１ａを徐々に引き下げて行く。
【００６９】
このようにアラミドロッド３１ａを徐々に引き下げながら、アラミドロッド３１ａの下端部を２個目のロッド配置用補助具６１の１つのロッド保持部６３内に挿入するように操作する。なお、このようにアラミドロッド３１ａの下端部をロッド保持部６３内に挿入する操作は、例えば先端が二股に分かれているような図示しないロッド下端操作治具などを用いて、アラミドロッド３１ａの下端部の位置を調整しながら行うことが望ましい。
【００７０】
このようにして、１本目のアラミドロッド３１ａの下端部をロッド配置用補助具６１のロッド保持部６３に挿入した後、そのアラミドロッドひも５３ａを仮止め部材１７に仮止めし、次に２本目のアラミドロッド３１ｂも同様に、そのアラミドロッドひも５３ｂの仮止め部材１７へ仮止めを解いて、アラミドロッド３１ｂをアラミドロッドひも５３ｂで保持しながら吊り下げつつ引き下げ、アラミドロッド３１ｂの下端部をロッド配置用補助具６１の２つ目のロッド保持部６３に挿入した後、そのアラミドロッドひも５３ｂを仮止め部材１７に仮止めする。
【００７１】
次に、３本目のアラミドロッド３１ｃも同様に２個目のロッド配置用補助具６１のロッド保持部６３に挿入し、そのアラミドロッドひも５３ｂを仮止め部材１７に仮止めすることにより、３本のすべてのアラミドロッド３１ａ，３１ｂ，３１ｃの２個目のロッド配置用補助具６１への挿入およびそのアラミドロッドひも５３ａ，５３ｂ，５３ｃの仮止め部材１７への仮止めが終了すると、次に２個目のロッド配置用補助具６１を上述したように電柱１の頂部開口５５から吊るしている図示しないひもを保持して、電柱１内を引っ張り上げ、２個目のロッド配置用補助具６１を図６で点線７１で示すような電柱１内の上方の所定の位置まで引き上げ、その位置でひもをロッド固定装置１０の仮止め部材１７に仮止めする。
【００７２】
２個目のロッド配置用補助具６１が電柱１内の所定位置まで引き上げられ、ひもが仮止めされると、次に３本のアラミドロッド３１ａ，３１ｂ，３１ｃの上端が電柱１の頂部開口５５の近くまで来るようにアラミドロッド３１ａ,３１ｂ,３１ｃを１本ずつ引き上げて、所定の位置まで移動し、その位置で仮止めする。以上のようにして、２個目のロッド配置用補助具６１に３本のアラミドロッド３１がすべて挿入され、そのアラミドロッドひも５３もそれぞれロッド固定装置１０の仮止め部材１７に仮止めされる。更に、３個目およびそれ以上のロッド配置用補助具６１にアラミドロッド３１を挿入する場合も同様の方法で行うことができる。
【００７３】
なお、上記実施形態では、ロッド固定装置１０は、仮止め部材１７が円弧部材１５を介して３個設けられ、また電柱１への固定に長ナットを使用し、長ナット１１と円弧部材１５との間に連結部材１３を有する場合を示しているが、本発明は、このような構成に限定されるものでない。
【００７４】
すなわち、仮止め部材１７が取り付けられる固定部材は、円弧部材１５である必要はないし、また円弧状である必要もなく、単に長ナット１１のような筒状部材に仮止め部材１７を固定的に取り付けるための固定部材であればよいものである。
【００７５】
更に、仮止め部材１７は、１個のロッド固定装置１０に３個設けられる必要はなく、１個のロッド固定装置１０に１個の仮止め部材１７が設けられているようなものでもよいし、また１個のロッド固定装置１０に４個以上の仮止め部材１７が設けられてもよいものである。具体的には、ロッド固定装置の数またはロッド固定装置が有する仮止め部材の数は、電柱内に挿入されるアラミドロッドの数とロッド固定装置が有する仮止め部材の数に応じて決められるものである。
【００７６】
また、長ナット１１と円弧部材１５との間に連結部材１３がある必要もない。例えば、長ナット１１または円弧部材１５が連結部材１３の分まで長くてもよい。更に、長ナット１１は、ナットである必要はなく、単に電柱１の上端から上方に突出する補強用鉄筋２１が挿入され、この補強用鉄筋２１にロッド固定装置１０を簡単に固定できればよいものであり、長ナットのように内周面にねじが形成されている必要もないし、更に長ナットのような筒状部材である必要もなく、単に補強用鉄筋２１が下端側から挿入されて取り付けられる孔部を有する取付部材であればよいものである。
【００７７】
更に、電柱１の上端の頂部開口５５に２個のロッド固定装置１０を取り付け、電柱１内に３本のアラミドロッド３１を挿入する場合について示しているが、アラミドロッド３１は、３本に限定されるものでなく、何本でもよいものである。
【図面の簡単な説明】
【００７８】
【図１】本発明の一実施形態に係わるロッド固定装置の構成を示す斜視図である。
【図２】(ａ)および(ｂ)は、それぞれ図１に示すロッド固定装置の正面図および背面図である。
【図３】図１に示すロッド固定装置を電柱の上端の頂部開口に取り付けた使用状態を示す斜視図である。
【図４】図３に示した電柱の上端面に突出する補強用鉄筋を示す斜視図である。
【図５】図１に示すロッド固定装置を電柱の上端の頂部開口に取り付けて、補強用のアラミドロッドを電柱の側部開口から挿入する作業を説明するための断面図である。
【図６】(ａ)は図１に示すロッド固定装置を電柱の上端の頂部開口に取り付けて、電柱内に挿入されたアラミドロッドをロッド配置用補助具のロッド保持部に挿入する作業を説明するための断面図であり、(ｂ)はロッド配置用補助具を示す斜視図である。
【図７】従来のロッド固定装置の構成を示す斜視図である。
【符号の説明】
【００７９】
１  電柱
１０  ロッド固定装置
１１  長ナット
１１ａ、１１ｂ  ねじ穴
１３  連結部材
１５  円弧部材
１７  仮止め部材
１７ａ  ボルト
１７ｂ  ナット
２１  補強用鉄筋
３１ａ，３１ｂ，３１ｃ  アラミドロッド
５１  側部開口
５５  頂部開口
５３ａ，５３ｂ，５３ｃ  アラミドロッドひも
６１  ロッド配置用補助具
６３  ロッド保持部
【図１】
2010047980.tif 000003
【図２】
2010047980.tif 000004
【図３】
2010047980.tif 000005
【図４】
2010047980.tif 000006
【図５】
2010047980.tif 000007
【図６】
2010047980.tif 000008
【図７】
2010047980.tif 000009